【事件の表示】
　特願２００４−　９９８５５号「背負いバッグ」拒絶査定不服審判事件〔平成１７年１０月１３日出願公開、特開２００５−２７９０２５号〕について、次のとおり審決する。
【結　論】
　本件審判の請求は、成り立たない。
【理　由】
Ｉ．手続の経緯  
　本願は、平成１６年３月３０日の出願であって、平成２０年２月２８日付けで拒絶査定がなされ、これに対し、平成２０年４月１日に拒絶査定不服審判の請求がなされるとともに、平成２０年４月１４日付けで手続補正がなされたものである。  
　その後、当審において、平成２２年２月４日付けで拒絶理由通知が通知され、これに対し、平成２２年４月６日付けで意見書及び手続補正書が提出されたものである。 
 　  
II．本願発明  
　本願の請求項１に係る発明（以下、「本願発明」という。）は平成２２年４月６日付けの手続補正書により補正された特許請求の範囲の請求項１に記載された事項により特定される次のとおりのものである。  
「背負いバッグ本体に左右の背負いベルトが、背負いベルトの背負いバッグ本体への取付部位の間において互いに交差するように取付けられると共に、背負った場合に背中側で交差するように構成され、
　上記背負いベルトは、背負い時において、左右の背負いベルトの上端部が夫々中心方向に引っ張られることで肩にかけられた背負いベルトが首側に寄り合うように形成され、
　右肩に掛ける上記背負いベルトの上端部が、バッグの背中当接面部側において、上記背負いバッグ本体の上端右側部に接合されるとともに、その下端部が上記背負いバッグ本体の下端左側部に接続され、又、左肩に掛ける上記背負いベルトの上端部が、バッグの背中当接面部側において、上記背負いバッグ本体の上端左側部に接合されるとともに、その下端部が上記背負いバッグ本体の下端右側部に接続されていることを特徴とする背負いバッグ。」  
 　  
III．当審の拒絶理由 
　一方、当審において平成２２年２月４日付けで通知した拒絶理由の概要は、本願発明は、本願の出願前に日本国内において頒布された特開平９−２５２８３８号公報（以下、「引用例」という。）に記載された発明に基いて当業者が容易に発明をすることができたものであるから、 特許法第２９条第２項の規定により特許を受けることができない、というものである。 
 　 
IV−１．引用例の記載事項  
　引用例には、図面と共に次の事項が記載されている。  
（ア）「【請求項１】背当て部に左右一対の肩掛けひもを有する背負い袋であって、 
 前記ひものうちの一方の上端部が前記背当て部を左右に二分する中心線の右側において前記背当て部に取り付けられ、かつ、そのひもの下端部が前記中心線の左側において前記背当て部に取り付けられており、前記ひもの他方は、前記中心線に関して前記一方のひもと左右対称に前記背当て部に取り付けられ、これら一対のひもの上端部のそれぞれが下端部のそれぞれよりも前記中心線寄りに位置し、前記一対のひもがそれらの上端部近傍において互いに交叉していることを特徴とする前記背負い袋。 
 【請求項２】前記一対のひもが、一本のひもの長手方向中央部を前記背当て部の上部中央に固定し、該中央部外側の左右側部それぞれを右方向と左方向とに折曲して互いに交叉させ、その交叉した左右側部の先端部位を前記背当て部の下部に固定することにより形成されている請求項１記載の背負い袋。」（【特許請求の範囲】） 
（イ）「この発明は、リュックサック等の背負い袋に関する。」（段落【０００１】）  
（ウ）「背負い袋が背中によく密着すると、歩行中に袋が背中で踊ることがなく、歩行が容易になり、袋を背負うことによる疲れも少なくなる。 
　そこで、この発明は、従来の背負い袋よりも、さらによく背中に密着する背負い袋の提供を課題にしている。」（段落【０００３】〜【０００４】） 
（エ）「前記課題を解決するために、この発明が前提とするのは、背当て部に左右一対の肩掛けひもを有する背負い袋である。 
　かかる前提において、この発明が特徴とするところは、前記ひものうちの一方の上端部が前記背当て部を左右に二分する中心線の右側において前記背当て部に取り付けられ、かつ、そのひもの下端部が前記中心線の左側において前記背当て部に取り付けられており、前記ひもの他方は、前記中心線に関して前記一方のひもと左右対称に前記背当て部に取り付けられ、これら一対のひもの上端部のそれぞれが下端部のそれぞれよりも前記中心線寄りに位置し、前記一対のひもがそれらの上端部近傍において互いに交叉していることを特徴としている。」（段落【０００５】〜【０００６】）  
（オ）「図１，２において、この発明のリュックサック１は、袋２と、左右一対の肩掛けひも３，４とによって構成されている。着用者の左肩に掛かるひも３は、その上端部６が背当て部５を左右に二分する中心線Ｃ−Ｃの右側において背当て部５の頂部近傍に縫合され、下端部７が中心線Ｃ−Ｃの左側において背当て部５の底部近傍に縫合されている。着用者の右肩に掛かるひも４は、ひも３と左右対称の位置に縫合され、上端部８が中心線Ｃ−Ｃの左側に、下端部９が中心線Ｃ−Ｃの右側に位置している。それぞれのひも３，４の上端部６，８は、中心線Ｃ−Ｃの比較的近傍にあり、下端部７，９は、上端部６，８よりも中心線Ｃ−Ｃから横方向に離間している。したがって、ひも３と４とは、それらの上端部６，８の近傍で互いに交叉している。左右の上端部６，８の上には、袋２の幅方向に延びる当て布１１が縫合されている。ひも３，４と当て布１１とは、鎖線１３において縫合されている。」（段落【０００９】）  
（カ）「図１の着用状態となるこの発明のリュックサック１は、背当て部５における頂部の右側がひも３によって左肩方向へ斜めに引っ張られ、頂部の左側がひも４によって右肩方向へ斜めに引っ張られるので、頂部は中心線Ｃ−Ｃとその近傍が背中によく密着する。袋２が背中から離れる傾向にあるときは、ひも３に外側から重なるひも４を肩から腹側方向へ引っ張るだけでひも３が背中から離れるのを抑え、頂部を背中に密着させることができる。また、ひも３と４とは、単に重なり合うだけで互いに拘束することがないから、ひも３，４が上端部６，８から肩へと延びるときに、それぞれが独立して着用者の体型に応じた傾きをとることができる。かかるひも３，４は肩に無駄なく当るのでリュックサック１の着用感がよい。」（段落【００１３】）  
（キ）「なお、この発明にかかるリュックサック１の肩掛けひも３，４には、これらの長さを調節するためにバックル等の適宜の部材を取り付けることができる。」（段落【００１４】） 
（ク）「この発明にかかる背負い袋では、左右一対の肩掛けひもが互いに交叉して、袋の背当て部が背中によく密着するから、歩行中に背負い袋が背中で踊ることがなく、歩行が楽になる。」（段落【００１５】） 
（ケ）図１には、左右の肩掛けひも３，４が、背負った場合に背中側で交叉するように構成される点が図示されている。
（コ）上記記載事項（オ）の「それぞれのひも３，４の上端部６，８は、中心線Ｃ−Ｃの比較的近傍にあり、・・・ひも３と４とは、それらの上端部６，８の近傍で互いに交叉している。」及び図２より、「左右の肩掛けひも３，４が、肩掛けひも３，４の袋２への取付部である上端部６，８の間において互いに交叉するように取付けられる」といえる。 
（サ）上記記載事項（カ）の「図１の着用状態となるこの発明のリュックサック１は、背当て部５における頂部の右側がひも３によって左肩方向へ斜めに引っ張られ、頂部の左側がひも４によって右肩方向へ斜めに引っ張られるので、頂部は中心線Ｃ−Ｃとその近傍が背中によく密着する。」及び図１より、「肩掛けひも３，４は、背負い時において、左右の肩掛けひも３，４の上端部が夫々中心方向に引っ張られることで肩にかけられた肩掛けひも３，４が首側に寄り合うように形成されている」といえる。 
（シ）上記記載事項（オ）、図１及び図２より、「右肩に掛ける肩掛けひも４の上端部８が袋２の背当て部５側において、袋２の（着用者からみて）左側頂部近傍に縫合されるとともに、その下端部９が上記袋２の（着用者からみて）右側底部近傍に縫合され、又、左肩に掛ける肩掛けひも３の上端部６が袋２の背当て部５側において、袋２の（着用者からみて）右側頂部近傍に縫合されるとともに、その下端部７が上記袋２の（着用者からみて）左側底部近傍に縫合される」といえる。 
 　 
　上記記載事項及び図示内容を総合すると、引用例には、次の発明（以下、「引用発明」という。） が記載されている。
「袋２に左右の肩掛けひも３，４が、肩掛けひも３，４の袋２への取付部である上端部６，８の間において互いに交叉するように取付けられると共に、背負った場合に背中側で交叉するように構成され、 
　上記肩掛けひも３，４は、背負い時において、左右の肩掛けひも３，４の上端部が夫々中心方向に引っ張られることで肩にかけられた肩掛けひも３，４が首側に寄り合うように形成され、
　右肩に掛ける肩掛けひも４の上端部８が袋２の背当て部５側において、袋２の（着用者からみて）左側頂部近傍に縫合されるとともに、その下端部９が上記袋２の（着用者からみて）右側底部近傍に縫合され、又、左肩に掛ける肩掛けひも３の上端部６が袋２の背当て部５側において、袋２の（着用者からみて）右側頂部近傍に縫合されるとともに、その下端部７が上記袋２の（着用者からみて）左側底部近傍に縫合される背負い袋１。」  
 　  
IV−２．対比  
　本願発明と引用発明とを対比すると、その構造または機能からみて、引用発明の「背負い袋１」は、本願発明の「背負いバッグ」に、「袋２」は「背負いバッグ本体」に、「肩掛けひも」は「背負いベルト」に、「交叉」は「交差」に、「背当て部５」は「背中当接面部」に、及び「縫合」は「接合」に、相当する。  
　また、引用発明の「右肩に掛ける肩掛けひも４の上端部８が袋２の背当て部５側において、袋２の（着用者からみて）左側頂部近傍に縫合されるとともに、その下端部９が上記袋２の（着用者からみて）右側底部近傍に縫合され、又、左肩に掛ける肩掛けひも３の上端部６が袋２の背当て部５側において、袋２の（着用者からみて）右側頂部近傍に縫合されるとともに、その下端部７が上記袋２の（着用者からみて）左側底部近傍に縫合される」と、本願発明の「右肩に掛ける上記背負いベルトの上端部が、バッグの背中当接面部側において、上記背負いバッグ本体の上端右側部に接合されるとともに、その下端部が上記背負いバッグ本体の下端左側部に接続され、又、左肩に掛ける上記背負いベルトの上端部が、バッグの背中当接面部側において、上記背負いバッグ本体の上端左側部に接合されるとともに、その下端部が上記背負いバッグ本体の下端右側部に接続されている」とは、「右肩に掛ける上記背負いベルトの上端部が、バッグの背中当接面部側において、上記背負いバッグ本体の右側上部に接合されるとともに、その下端部が上記背負いバッグ本体の左側下部に接続され、又、左肩に掛ける上記背負いベルトの上端部が、バッグの背中当接面部側において、上記背負いバッグ本体の左側上部に接合されるとともに、その下端部が上記背負いバッグ本体の右側下部に接続されている」という概念で共通する。 
 　  
　そこで、本願発明の用語を用いて表現すると、両者は次の点で一致する。
「背負いバッグ本体に左右の背負いベルトが、背負いベルトの背負いバッグ本体への取付部位の間において互いに交差するように取付けられると共に、背負った場合に背中側で交差するように構成され、
　右肩に掛ける上記背負いベルトの上端部が、バッグの背中当接面部側において、上記背負いバッグ本体の右側上部に接合されるとともに、その下端部が上記背負いバッグ本体の左側下部に接続され、又、左肩に掛ける上記背負いベルトの上端部が、バッグの背中当接面部側において、上記背負いバッグ本体の左側上部に接合されるとともに、その下端部が上記背負いバッグ本体の右側下部に接続されている背負いバッグ。」  
 　 
　本願発明と引用発明とを対比すると、両者は次の点で相違する。  
　相違点：本願発明では、右肩に掛ける上記背負いベルトの上端部が、バッグの背中当接面部側において、上記背負いバッグ本体の上端右側部に接合されるとともに、その下端部が上記背負いバッグ本体の下端左側部に接続され、又、左肩に掛ける上記背負いベルトの上端部が、バッグの背中当接面部側において、上記背負いバッグ本体の上端左側部に接合されるとともに、その下端部が上記背負いバッグ本体の下端右側部に接続されているているのに対し、引用発明では、右肩に掛ける肩掛けひも４の上端部８が袋２の背当て部５側において、袋２の（着用者からみて）左側頂部近傍に縫合されるとともに、その下端部９が上記袋２の（着用者からみて）右側底部近傍に縫合され、又、左肩に掛ける肩掛けひも３の上端部６が袋２の背当て部５側において、袋２の（着用者からみて）右側頂部近傍に縫合されるとともに、その下端部７が上記袋２の（着用者からみて）左側底部近傍に縫合される点。
　  
IV−３．相違点の判断  
　上記相違点について検討する。  
　背負いベルトの上端部が、バッグの背中当接面部側において、背負いバッグ本体の上端部に接合される点、あるいは、背負いベルトの下端部が、バッグの背中当接面部側において、背負いバッグ本体の下端部に接合される点は、いずれも背負いバッグの技術分野において従来周知の技術である（例えば、特開２００２−５８５３６号公報、特開平６−３０８１７号公報参照）。　そして、引用発明に上記周知技術を適用して、相違点に係る本願発明の発明特定事項のようにすることは当業者が容易に想到し得たことである。  
　
　そして、本願発明による効果も、引用発明及び周知技術から当業者が予測し得た程度のものであって、格別のものとはいえない。  
 　 
　したがって、本願発明は、引用発明及び周知技術に基いて、当業者が容易に発明をすることができたものである。　  
 　  
Ｖ．むすび  
　以上のとおり、本願発明は、引用発明及び周知技術に基いて、当業者が容易に発明をすることができたものであるから、特許法第２９条第２項の規定により、特許を受けることができない。  
　よって、結論のとおり審決する。